(57)【要約】【課題】装置サイズの大型化を抑えつつ、洗濯物の乾燥ムラを少なくして洗濯物の乾燥効率を向上させることができる浴室暖房乾燥機を提供すること。【解決手段】温風吹出口（３ｂ）が設けられたハウジング（２）と、ハウジング（２）に内蔵され、温風吹出口（３ｂ）に供給する温風を発生する温風発生手段（５）を備え、温風吹出口（３ｂ）から浴室（５１）へ温風を送り出す浴室暖房乾燥機（１Ａ）において、洗濯物（５５）が掛けられる本体（２１）と、本体（２１）を回転可能に保持するベアリング（２３）を有する回転式物干し部材（１１）と、温風吹出口（３ｂ）から送り出された温風が本体（２１）に掛けられた洗濯物（５５）の一部に当たるように、回転式物干し部材（１１）をハウジング（２）に対して昇降させる昇降手段と、を有する。【選択図】    図１
2014097138.tif 000002
【特許請求の範囲】
【請求項１】
温風吹出口が設けられたハウジングと、前記ハウジングに内蔵され、前記温風吹出口に供給する温風を発生する温風発生手段を備え、前記温風吹出口から浴室へ前記温風を送り出す浴室暖房乾燥機において、
洗濯物が掛けられる本体と、前記本体を回転可能に保持するベアリングを有する回転式物干し部材と、
前記温風吹出口から送り出された温風が前記本体に掛けられた前記洗濯物の一部に当たるように、前記回転式物干し部材を前記ハウジングに対して昇降させる昇降手段と、
を有することを特徴とする浴室暖房乾燥機。
【請求項２】
請求項１に記載する浴室暖房乾燥機において、
前記回転式物干し部材に掛けられた洗濯物の質量を測定する質量測定手段を有する
ことを特徴とする浴室暖房乾燥機。
【請求項３】
請求項２に記載する浴室暖房乾燥機において、
前記質量測定手段が測定した前記質量に基づいて前記洗濯物の乾燥度を検出する乾燥度検出手段と、
前記乾燥度検出手段が検出した乾燥度が所定の乾燥度以上になった場合に、前記温風発生手段の動作を停止させる温風停止手段とを有する
ことを特徴とする浴室暖房乾燥機。
【請求項４】
請求項２に記載する浴室暖房乾燥機において、
前記質量測定手段が測定した前記質量が上限値を超えた場合に警告を行う質量オーバー警告手段を有する
ことを特徴とする浴室暖房乾燥機。
【請求項５】
請求項１乃至請求項４の何れか一つに記載する浴室暖房乾燥機において、
前記昇降手段が前記回転式物干し部材を自動的に昇降させる
ことを特徴とする浴室暖房乾燥機。
【請求項６】
請求項１乃至請求項５の何れか一つに記載する浴室暖房乾燥機において、
筒型に形成されて、前記回転式物干し部材を進退可能に内部に収納するものであって、前記回転式物干し部材を内部に収納した状態で前記ハウジング内に収納される第１保持位置と、前記回転式物干し部材を下降させられるように前記ハウジングから下向きに突出した第２保持位置との間で回動できるように、前記ハウジングに保持されている収納カバーと、
前記第１保持位置と前記第２保持位置との間で前記収納カバーを自動的に回動させる自動回動手段とを有する
ことを特徴とする浴室暖房乾燥機。
【発明の詳細な説明】
【技術分野】
【０００１】
本発明は、浴室に干した洗濯物を乾燥させることができる浴室暖房乾燥機に関する。
【背景技術】
【０００２】
近年、快適な入浴や浴室のカビ発生防止のために、浴室の天井に浴室暖房乾燥機を取り付け、一日の大半を占める浴室の遊休時間に、浴室暖房乾燥機を用いて洗濯物を乾燥させることを行っている。これは、気温や天候などに左右されずに洗濯物を乾燥させられる点で便利である。
【０００３】
このような浴室暖房乾燥機は、天井に設置するタイプや壁面に設置するタイプなどがある。図９は、従来の天井設置型の浴室暖房乾燥機２１０を有する浴室２０１の状態を模式的に示す図である。浴室２０１の天井２０１ａは、洗い場２０１ｂの上方位置に点検口（図示せず）があるため、浴槽２０２の上方位置に浴室暖房乾燥機２１０が設置されている。浴槽２０２の上方には、衣類を干すための物干し竿２０３が壁面間に掛け渡されるように配置されている。その物干し竿に吊り下げられた洗濯物は、浴室暖房乾燥機から送り出される温風に晒され、乾燥される。
【０００４】
浴室暖房乾燥機２１０は、一定の範囲に温風を送り出すため、洗濯物の位置を動かさない限り、洗濯物の乾燥度合いが異なっていた。具体的には、温風が当たる位置の洗濯物がしっかり乾いていても、温風が当たらない位置の洗濯物は生乾きであった。
【０００５】
図１０は、従来の浴室暖房乾燥機１０１を示す外観斜視図である。例えば、図１０に示す浴室暖房乾燥機１０１は、上述したような洗濯物の乾燥のムラを少なくするために、図示しないリモコンにより衣類乾燥が指示されると、浴室の天井に取り付けられた本体ケース１０２から、洗濯物１２０を干しやすい位置まで、物干しバー１１１を昇降バー１１２を介して下降させ、その後、物干しバー１１１に洗濯物１２０が掛けられると、温風吹き出し口１０３から吹き出す温風Ｆ１が洗濯物１２０に均等に当たるように、物干しバー１１１を回転させる。
【０００６】
図１１は、従来の浴室暖房乾燥機１０１に設けられた物干しバー１１１の昇降機構と回転機構の構造を示す図である。図１１に示すように、浴室暖房乾燥機１０１の本体ケース１０２内には、台座１１６が環状ガイドベアリング１１９を介して回転可能に設けられている。その台座１１６に固定された減速機能付き昇降用モータ１１３が回転すると、昇降用モータ１１３のシャフト１１３ａに備えられたピニオン１１４が回転する。このピニオン１１４には、昇降バー１１２に設けられたラック１１５が噛み合っている。そのため、ピニオン１１４が正方向に回転すると、昇降バー１１２が台座１１６の孔１１６ａと本体ケース１０２の孔１０２ａを通って下降し、ピニオン１１４が逆方向に回転すると、昇降バー１１２が孔１１６ａ，１０２ａを通って上昇する。
【０００７】
一方、本体ケース１０２に固定された回転用モータ１１７が回転すると、回転用モータ１１７のシャフト１１７ａに備えられたかさ歯車１１８も回転する。このかさ歯車１１８には、台座１１６の外縁に切られたかさ歯車１１６ｂが噛み合っている。そのため、回転用モータ１１７が回転すると、台座１１６が回転する。台座１１６が回転すると、昇降用モータ１１３と昇降バー１１２が回転する。昇降バー１１２の回転により、図１０に示すように、物干しバー１１１が回転する（例えば特許文献１参照）。
【先行技術文献】
【特許文献】
【０００８】
【特許文献１】特開２００１−３１４７００号公報（段落［０００４］、［０００９］、段落［００１０］〜［００１７］）
【発明の概要】
【発明が解決しようとする課題】
【０００９】
しかしながら、従来の浴室暖房乾燥機１０１は、図１１に示すように、物干しバー１１１を回転させるために、回転用モータ１１７やかさ歯車１１８や台座１１６などの機械的機構を必要とし、装置サイズが大型になってしまっていた。
【００１０】
本発明は、上記問題点を解決するためになされたものであり、装置サイズの大型化を抑えつつ、洗濯物の乾燥ムラを少なくして洗濯物の乾燥効率を向上させることができる浴室暖房乾燥機を提供することを目的とする。
【課題を解決するための手段】
【００１１】
本発明の一態様は、次のような構成を有している。
（１）温風吹出口が設けられたハウジングと、前記ハウジングに内蔵され、前記温風吹出口に供給する温風を発生する温風発生手段を備え、前記温風吹出口から浴室へ前記温風を送り出す浴室暖房乾燥機において、洗濯物が掛けられる本体と、前記本体を回転可能に保持するベアリングを有する回転式物干し部材と、前記温風吹出口から送り出された温風が前記本体に掛けられた前記洗濯物の一部に当たるように、前記回転式物干し部材を前記ハウジングに対して昇降させる昇降手段と、を有する。
【００１２】
（２）（１）に記載の構成において、好ましくは、前記回転式物干し部材に掛けられた洗濯物の質量を測定する質量測定手段を有する。
【００１３】
（３）（２）に記載の構成において、好ましくは、前記質量測定手段が測定した前記質量に基づいて前記洗濯物の乾燥度を検出する乾燥度検出手段と、前記乾燥度検出手段が検出した乾燥度が所定の乾燥度以上になった場合に、前記温風発生手段の動作を停止させる温風停止手段とを有する。
ここで、「所定の乾燥度」とは、洗濯物が乾燥したと判断される乾燥度（例えば、９５％）、或いは、使用者が任意に設定した乾燥度をいう。
【００１４】
（４）（２）に記載の構成において、好ましくは、前記質量測定手段が測定した前記質量が上限値を超えた場合に警告を行う質量オーバー警告手段を有する。
【００１５】
（５）（１）乃至（４）の何れか一つに記載する構成において、好ましくは、前記昇降手段が前記回転式物干し部材を自動的に昇降させる。
【００１６】
（６）（１）乃至（５）の何れか一つに記載する構成において、好ましくは、筒型に形成されて、前記回転式物干し部材を進退可能に内部に収納するものであって、前記回転式物干し部材を内部に収納した状態で前記ハウジング内に収納される第１保持位置と、前記回転式物干し部材を下降させられるように前記ハウジングから下向きに突出した第２保持位置との間で回動できるように、前記ハウジングに保持されている収納カバーと、前記第１保持位置と前記第２保持位置との間で前記収納カバーを自動的に回動させる自動回動手段とを有する。
【発明の効果】
【００１７】
上記構成の浴室暖房乾燥機は、ハウジングから下降した回転式物干し部材に掛けられた洗濯物の一部に温風が当たり、回転式物干し部材が回転力を付与される。回転式物干し部材は、ベアリングにより、本体が洗濯物と共に回り続ける。そのため、温風が洗濯物に均等に当たり、洗濯物の乾燥ムラが少なくなる。また、回転式物干し部材は、ベアリングの機能により温風の風力のみで回り続けるため、回転式物干し部材を回転させるための機械的機構を浴室暖房乾燥機に設ける必要がない。よって、上記構成の浴室暖房乾燥機によれば、装置サイズを大きくせずに、洗濯物の乾燥効率を上げることができる。
【図面の簡単な説明】
【００１８】
【図１】本発明の第１実施形態に係る浴室暖房乾燥機が設置された浴室を示す図である。
【図２】第１実施形態の浴室暖房乾燥機の内部構造を示す概略図である。
【図３】第１実施形態の浴室暖房乾燥機をフロントグリル側から見た図である。
【図４】第１実施形態の浴室暖房乾燥機に設けられた昇降式回転機構の構造を示す図である。
【図５】回転式物干し部材の内部構造を示す図である。
【図６】本発明の第２実施形態の浴室暖房乾燥機に設けられた昇降式回転機構の構造を部分的に示す図である。
【図７】本発明の第３実施形態の浴室暖房乾燥機をフロントグリル側から見た図である。
【図８】第３実施形態の浴室暖房乾燥機に設けられた昇降式回転機構の構造を示す図である。
【図９】従来の天井設置型の浴室暖房乾燥機を有する浴室の状態を模式的に示す図である。
【図１０】従来の浴室暖房乾燥機を示す外観斜視図である。
【図１１】従来の浴室暖房乾燥機に設けられた物干しバーの昇降機構と回転機構の構造を示す図である。
【発明を実施するための形態】
【００１９】
以下に、本発明の浴室暖房乾燥機の好ましい実施形態について図面に基づいて説明する。
【００２０】
＜第１実施形態＞
図１は、本発明の第１実施形態に係る浴室暖房乾燥機１Ａが設置された浴室５１を示す図である。
浴室暖房乾燥機１Ａは、浴室５１の天井５１ａに取り付けられ、温風Ｆを浴室５１に送り出すことにより浴室５１の暖房又は乾燥を行う。浴室暖房乾燥機１Ａは、ハウジング２に収納された回転式物干し部材１１を洗濯物（以下の説明では、１又は２以上の衣類をかけられたハンガー全体を「洗濯物」という。）５５を干しやすい位置まで下降させ、温風Ｆの風力のみで回転式物干し部材１１を回転させ続ける昇降式回転機構１０Ａを備えている。
【００２１】
図２は、第１実施形態の浴室暖房乾燥機１Ａの内部構造を示す概略図である。浴室暖房乾燥機１Ａは、ハウジング２により外観が構成されている。ハウジング２は、浴室５１の暖房・乾燥に必要な機器が入れられた本体ケース４と、本体ケース４の内部が見えないように塞ぐフロントグリル３とで構成されている。浴室暖房乾燥機１Ａは、本体ケース４を浴室５１の天井５１ａに埋め込むようにして設置され、フロントグリル３が浴室５１の天井５１ａに露出する。
【００２２】
浴室暖房乾燥機１Ａは、浴室５１の空気をフロントグリル３の空気吸込口３ａから吸い込んで温風Ｆを発生する温風発生手段５が、本体ケース４に内設されている。温風発生手段５が発生した温風Ｆは、通風路６を介してフロントグリル３の温風吹出口３ｂから浴室５１へ送り出され、浴室５１を温める。これにより、浴室５１の暖房又は乾燥が行われる。尚、浴室暖房乾燥機１Ａは、本体ケース４に内設又は外設された図示しない換気扇を起動させることにより、浴室５１の空気を空気吸込口３ａから吸い込んで屋外へ排出し、浴室５１の換気を行う。
【００２３】
浴室暖房乾燥機１Ａの動作は、制御手段７Ａにより制御される。制御手段７Ａは、周知のマイクロコンピュータであり、図１に示す浴室内リモコン８や、脱衣室に設けられたリモコンに信号線で接続され、使用者の指示に従って浴室暖房乾燥機１Ａの動作を制御する。
【００２４】
図３は、第１実施形態の浴室暖房乾燥機１Ａをフロントグリル３側から見た図である。浴室暖房乾燥機１Ａは、回転式物干し部材１１をハウジング２に埋め込むようにして収納している。本実施形態では、回転式物干し部材１１の下面がフロントグリル３の浴室側表面とほぼ同一面となるように、回転式物干し部材１１がハウジングに設けられている。美観性を良くすると共に、入浴時等に回転式物干し部材１１が邪魔にならないようにするためである。
【００２５】
昇降式回転機構１０Ａは、回転式物干し部材１１を下降させた場合に、回転式物干し部材１１に掛けた洗濯物５５の一部に温風Ｆ（図１参照）が当たるように、浴室暖房乾燥機１Ａに位置決めされて取り付けられている。第１実施形態の浴室暖房乾燥機１Ａは、昇降式回転機構１０Ａが、洗濯物５５の下面図の投影面を温風吹出口３ｂに部分的に重ねるように、空気吸込口３ａの図中下側に設けられている。昇降式回転機構１０Ａの配置はこれに限らず、例えば、温風吹出口３ｂの図中左側や、温風吹出口３ｂの図中下側、温風吹出口３ｂ又は空気吸込口３ａの図中上側等に、昇降式回転機構１０Ａを設けても良い。また、第１実施形態では、昇降式回転機構１０Ａをハウジング２（フロントグリル３又は／及び本体ケース４）に１つだけ設けているが、２つ以上の昇降式回転機構１０Ａをハウジング２（フロントグリル３又は／及び本体ケース４）に設けても良いことは言うまでもない。
【００２６】
図４は、第１実施形態の浴室暖房乾燥機１Ａに設けられた昇降式回転機構１０Ａの構造を示す図である。昇降式回転機構１０Ａは、昇降用モータ１４がハウジング２（フロントグリル３又は本体ケース４）に固定されている。昇降用モータ１４のシャフト１４ａには、ワイヤ１２が巻きつけられたワイヤ巻き取り部材１３が取り付けられている。ワイヤ巻き取り部材１３は、ハウジング２（フロントグリル３又は本体ケース４）に回転可能に保持されている。ワイヤ１２は、フロントグリル３の収納孔３ｃを通って浴室５１に垂下し、先端部に回転式物干し部材１１が固定されている。ワイヤ１２は、強度を確保するために、ステンレスなどの金属で形成されている。
【００２７】
昇降用モータ１４は、制御手段７Ａに接続され、回転方向や回転数を制御される。例えば、昇降用モータ１４の回転方向及び回転数は、使用者が洗濯物５５を回転式物干し部材１１に干しやすい位置（例えば、フロントグリル３の浴室側表面から２００ｍｍ下がった位置）まで回転式物干し部材１１を下降させるように、制御される。
【００２８】
図５は、回転式物干し部材１１の内部構造を示す図である。回転式物干し部材１１は、洗濯物５５が吊り下げられるフックを備える本体２１と、ワイヤ１２に接続される軸部材２２と、本体２１と軸部材２２との間に配設されたベアリング２３とで構成されている。本体２１は、ベアリング２３のアウターレース２３ａに固定され、軸部材２２は、ベアリング２３のインナーレース２３ｂに固定されている。よって、本体２１は、非常に小さい抵抗で、軸部材２２に対して自由に回転することができる。尚、本体２１と軸部材２２は、錆び防止の観点から、樹脂で形成されている。
【００２９】
上記構成の浴室暖房乾燥機１Ａは、次のように動作する。浴室暖房乾燥機１Ａは、例えば、図１に示すリモコン８等により衣類乾燥が指示されるまでは、回転式物干し部材１１を上昇させてハウジング２に収納している。以下、この状態を「通常状態」という。
【００３０】
リモコン８等から衣類乾燥の指示が入力されると、浴室暖房乾燥機１Ａの制御手段７Ａは、昇降用モータ１４を正方向に所定の回転数だけ回転させ、回転式物干し部材１１を下降させる。また同時に、制御手段７Ａは、温風発生手段５を起動させ、温風吹出口３ｂから浴室５１へ温風Ｆを送り出し始める。
【００３１】
使用者が、例えば、市販のたこ足ハンガーにタオル等を掛けた洗濯物５５を、回転式物干し部材１１に掛けると、温風吹出口３ｂから浴室５１へ送り出された温風Ｆが洗濯物５５の一部に当たる。その力で、回転式物干し部材１１が回転力を付与され、ベアリングを介して本体２１が軸部材２２に対して回り始める。もし、回転式物干し部材１１が自動的に回り始めなければ、使用者が手で洗濯物５５を回し、回転式物干し部材１１の本体２１を回転させる。浴室暖房乾燥機１Ａが温風Ｆを送り出す間、温風Ｆが洗濯物５５に部分的に当たり続け、回転式物干し部材１１の本体２１が回転し続ける。つまり、回転式物干し部材１１は、モータなどの機械的機構を用いなくても、乾燥に用いる温風Ｆの風力のみで本体２１と洗濯物５５を回し続けることができる。これにより、洗濯物５５には、温風Ｆが満遍なく当たり、洗濯物５５の乾燥ムラを少なくできる。
【００３２】
尚、洗濯物５５に使用するハンガーは、たこ足ハンガーに限らず、角形ハンガー、シャツ用ハンガーなど形状の異なる各種市販品を使用できる。このように、回転式物干し部材１１には、市販の各種ハンガーを掛けられるので、安価であり、利便性が良い。
【００３３】
使用者が、洗濯物５５の乾燥が終わり、リモコン８に衣類乾燥終了の指示を入力すると、制御手段７Ａは、昇降用モータ１４を逆方向に回転させる。すると、ワイヤ巻き取り部材１３がワイヤ１２を巻き取り、回転式物干し部材１１をハウジング２（フロントグリル３）の収納孔３ｃに収納する。これにより、浴室暖房乾燥機１Ａは通常状態に復帰する。
【００３４】
ここで、発明者らは、浴室５１内における洗濯物５５の干し位置を同一にして、洗濯物５５を回転させた場合（回転設置した場合）と洗濯物５５を回転させない場合（非回転設置した場合）の洗濯物５５の乾燥時間を計測する試験を行った。その結果、回転設置した場合の洗濯物５５の乾燥時間は、非回転設置した場合の洗濯物５５の乾燥時間に対し、約１割短かった。この試験結果より、洗濯物５５を回転設置することにより乾燥ムラが少なくなり、洗濯物５５の乾燥効率が向上することが実証された。
【００３５】
以上説明したように、第１実施形態の浴室暖房乾燥機１Ａは、温風吹出口３ｂが設けられたハウジング２（本体ケース４）に内蔵され、温風吹出口３ｂに供給する温風Ｆを発生する温風発生手段５を備え、温風吹出口３ｂから浴室５１へ温風Ｆを送り出すものにおいて、洗濯物５５が掛けられる本体２１と、本体２１を回転可能に保持するベアリング２３を有する回転式物干し部材１１と、温風吹出口３ｂから送り出された温風Ｆが本体２１に掛けられた洗濯物５５の一部に当たるように、回転式物干し部材１１をハウジング２に対して昇降させる昇降手段（第１実施形態では、ワイヤ１２、ワイヤ巻き取り部材１３、昇降用モータ１４により構成される。）と、を有する。このような構成の浴室暖房乾燥機１Ａは、ハウジング２から下降した回転式物干し部材１１に掛けられた洗濯物５５の一部に温風Ｆが当たり、回転式物干し部材１１が回転力を付与される。回転式物干し部材１１は、ベアリング２３により、本体２１が洗濯物５５と共に回り続ける。そのため、温風Ｆが洗濯物５５に均等に当たり、洗濯物５５の乾燥ムラが少なくなる。また、回転式物干し
部材１１は、ベアリング２３の機能により温風Ｆの風力のみで回り続けるため、回転式物干し部材１１を回転させるための機械的機構を浴室暖房乾燥機１Ａに設ける必要がない。よって、上記構成の浴室暖房乾燥機１Ａによれば、装置サイズを大きくせずに、洗濯物５５の乾燥効率を上げることができる。
【００３６】
また、第１実施形態の浴室暖房乾燥機１Ａは、昇降手段が回転式物干し部材１１を自動的に昇降させる。具体的には、浴室暖房乾燥機１Ａは、回転式物干し部材１１に連結するワイヤ１２と、ワイヤ１２を巻き取るワイヤ巻き取り部材１３と、ワイヤ巻き取り部材１３を回転させる昇降用モータ１４とを有し、昇降用モータ１４によりワイヤ巻き取り部材１３を回転させ、ワイヤ１２を介して回転式物干し部材１１を自動的に昇降させる。このような浴室暖房乾燥機１Ａは、浴室５１の天井５１ａのように高い位置に浴室暖房乾燥機１Ａが取り付けられていても、簡単に回転式物干し部材１１を昇降させることができる。
【００３７】
＜第２実施形態＞
続いて、本発明の第２実施形態に係る浴室暖房乾燥機について説明する。図６は、本発明の第２実施形態の浴室暖房乾燥機に設けられた昇降式回転機構１０Ｂの構造を部分的に示す図である。第２実施形態の浴室暖房乾燥機は、回転式物干し部材１１に掛けられた洗濯物５５の質量を測定する質量センサ６１を備える点、及び、制御手段７Ｂがリモコン８等を介して乾燥度の通知や質量オーバーの警告を行う点が第１実施形態の浴室暖房乾燥機１Ａの構成と相違し、その他の点は浴室暖房乾燥機１Ａと構成が共通している。ここでは、浴室暖房乾燥機１Ａと相違する点を中心に説明し、浴室暖房乾燥機１Ａと共通する点は適宜説明を省略する。尚、浴室暖房乾燥機１Ａと共通する構成には、第１実施形態で用いた符号をそのまま使用する。
【００３８】
昇降式回転機構１０Ｂは、第１実施形態の昇降式回転装置１０Ａに質量センサ６１を設けることにより構成されている。質量センサ６１は、ワイヤ巻き取り部材１３に押さえつけられて質量を測定するように、ハウジング２（フロントグリル３又は本体ケース４）に設けられている。具体的には、回転式物干し部材１１に洗濯物５５を掛けると、ワイヤ巻き取り部材１３が洗濯物５５に引っ張られて質量センサ６１を押圧し、質量センサ６１が質量を測定する。
【００３９】
昇降式回転機構１０Ｂは、質量センサ６１と昇降用モータ１４が制御手段７Ｂに電気的に接続され、質量センサ６１が測定した質量に基づいて昇降用モータ１４の動作を制御できるようになっている。また、制御手段７Ｂは、リモコン８に接続され、リモコン８に設けられたブザーや液晶画面を利用して質量に関連する通知や警告を行うように構成されている。
【００４０】
上記浴室暖房乾燥機の動作について説明する。浴室暖房乾燥機は、制御手段７Ｂが回転式物干し部材１１に何も掛けてられていないときの質量（初期状態）を記憶している。
【００４１】
ハウジング２から下降した回転式物干し部材１１に洗濯物５５が掛けられると、質量センサ６１が質量を測定し、その測定結果を制御手段７Ｂへ送信する。制御手段７Ｂは、初期状態から質量が増加したことを検知すると、温風発生手段５を起動し、温風Ｆを浴室５１へ送り出し始める。
【００４２】
この場合に、制御手段７Ｂは、受信した質量測定データが上限値（例えば５ｋｇ）を超えたことを検知すると、リモコン８のブザーや液晶画面を介して、洗濯物５５の質量が上限値を超えていることを使用者に知らせる。よって、使用者は、許容された質量を超える洗濯物５５を回転式物干し部材１１に掛けて乾燥を行うことがなくなり、洗濯物５５の質量オーバーによる浴室暖房乾燥機の破損を未然に防止できる。
【００４３】
また、上記浴室暖房乾燥機は、制御手段７Ｂが質量センサ６１から受信した質量測定データに基づいて洗濯物５５の乾燥度を検出する。具体的には、制御手段７Ｂが、衣類乾燥開始時又は直後に質量センサ６１から受信した質量測定データと、衣類乾燥開始後に質量センサ６１から受信した質量測定データとの差に基づいて、乾燥度を検出する。そして、制御手段７Ｂは、検出した乾燥度が所定の乾燥度以上になった場合に、温風発生手段５の動作を停止させる。ここで、所定の乾燥度とは、洗濯物５５が乾燥したと判断される乾燥度（例えば、９５％）、或いは、使用者が任意に設定した乾燥度をいう。このような浴室暖房乾燥機によれば、洗濯物５５が乾燥した後や使用者が所望する洗濯物５５の乾燥具合になった後に、温風発生手段５を無駄に駆動させることがなくなり、省エネ性に優れている。
【００４４】
また、上記浴室暖房乾燥機は、使用者が洗濯物５５を回転式物干し部材１１から取り外すと、制御手段７Ｂが質量センサ６１の質量測定データに基づいて質量が初期状態に戻ったことを検出する。すると、制御手段７Ｂは、初期状態に復帰したことを検知してから所定時間経過後（例えば１分後）に、昇降用モータ１４を逆方向に回転させてワイヤ１２をワイヤ巻き取り部材１３に巻き取らせ、回転式物干し部材１１を上昇させてハウジング２に収納する。よって、使用者は、回転式物干し部材１１から取り外した洗濯物５５を別室に置いた後、回転式物干し部材１１を上昇させるために浴室５１へ戻って来る必要がなく、家事の効率を向上させることができる。
【００４５】
以上説明したように、第２実施形態の浴室暖房乾燥機は、回転式物干し部材１１に掛けられた洗濯物５５の質量を測定する質量センサ（質量測定手段の一例）６１を有するので、洗濯物５５の質量を自動的に認識できる。
【００４６】
また、第２実施形態の浴室暖房乾燥機が、質量センサ６１が測定した質量に基づいて洗濯物５５の乾燥度を検出する制御手段７Ｂ（乾燥度検出手段の一例）と、検出した乾燥度が所定の乾燥度以上になった場合に、温風発生手段５の動作を停止させる制御手段７Ｂ（温風停止手段）とを有するので、温風発生手段５を衣類の乾燥具合に合わせて適切に運転することができ、省エネ性に優れている。
【００４７】
また、第２実施形態の浴室暖房乾燥機は、質量センサ６１が測定した質量が上限値を超えた場合に警告を行う制御手段７Ｂ（質量オーバー警告手段の一例）を有するので、洗濯物５５の掛け過ぎによりハウジング２が破損しない。
【００４８】
＜第３実施形態＞
続いて、本発明の第３実施形態に係る浴室暖房乾燥機１Ｃについて説明する。図７は、本発明の第３実施形態の浴室暖房乾燥機１Ｃをフロントグリル３側から見た図である。第３実施形態の浴室暖房乾燥機１Ｃは、回転式物干し部材１１を進退可能に収納する筒形の収納カバー７１を自動で回動させるようにハウジング２に設けた点が第１実施形態の浴室暖房乾燥機１Ａと相違し、その他の構成は浴室暖房乾燥機１Ａと共通している。ここでは、浴室暖房乾燥機１Ａと相違する点を中心に説明し、浴室暖房乾燥機１Ａと共通する点は適宜説明を省略する。尚、浴室暖房乾燥機１Ａと共通する構成には、第１実施形態で用いた符号をそのまま使用する。
【００４９】
収納カバー７１は、断面が四角形状の筒形をなす。フロントグリル３は、収納カバー７１を収納するための収納孔７２が長方形状に開設され、収納カバー７１をフロントグリル３の表面から突出させずに収納できるようになっている。
【００５０】
図８は、第３実施形態の浴室暖房乾燥機１Ｃに設けられた昇降式回転機構１０Ｃの構造を示す図である。昇降式回転機構１０Ｃは、ワイヤ巻き取り部材１３を回転軸として、収納カバー７１がハウジング２（フロントグリル３又は本体ケース４）に回動可能に保持されている。収納カバー７１は、回転式物干し部材１１を内部に収納した状態でハウジング２（フロントグリル３）の収納孔７２に収納される第１保持位置（図中二点鎖線参照）と、回転式物干し部材１１を下降させられるようにハウジング２（フロントグリル３）から下向きに突出した第２保持位置（図中実線参照）との間で回動する。
【００５１】
収納カバー７１には、カバー用ワイヤ巻き取り部材７４に巻き付けられたワイヤ７５の先端部が固定されている。カバー用ワイヤ巻き取り部材７４は、カバー用モータ７３のシャフト７３ａに連結され、シャフト７３ａと一体的に回転するようになっている。
【００５２】
収納カバー７１は、電磁ロック７６にロックされて、第１保持位置で保持されるようになっている。電磁ロック７６は、電磁ロック本体７６ａがハウジング２（フロントグリル３又は本体ケース４）に固定され、ストライクプレート７６ｂが収納カバー７１に取り付けられ、ハウジング２（フロントグリル３又は本体ケース４）と収納カバー７１との間を強力な電磁石でロックする。
【００５３】
収納カバー７１の中空孔は、回転式物干し部材１１が移動できる程度の大きさで設けられている。ワイヤ１２は、収納カバー７１の中空孔を通ってワイヤ巻き取り部材１３に巻き取られるようになっている。よって、回転式物干し部材１１は、ワイヤ１２がワイヤ巻き取り部材１３から送り出されることにより収納カバー７１から突出し、ワイヤ１２がワイヤ巻き取り部材１３に巻き取られることにより収納カバー７１の内部へ退避して収納される。
【００５４】
尚、カバー用モータ７３と電磁ロック７６（電磁ロック本体７６ａ）は、昇降用モータ１４と共に制御手段７Ｃに電気的に接続され、動作を制御される。
【００５５】
このような浴室暖房乾燥機１Ｃの動作について説明する。浴室暖房乾燥機１Ｃは、通常、カバー用ワイヤ巻き取り部材７４とワイヤ巻き取り部材１３でワイヤ７５，１２をそれぞれ巻き取り、収納カバー７１を第１保持位置で保持した状態にされている。収納カバー７１は、回転式物干し部材１１を中空孔の内部に収納した状態で第１保持位置に保持される。そのため、この通常状態において、フロントグリル３の表面に凹凸が少なく、浴室暖房乾燥機１Ｃの美観性が良い。
【００５６】
例えば、リモコン８に衣類乾燥の指示が入力されると、浴室暖房乾燥機１Ｃは、上記通常状態から洗濯物５５を回転式物干し部材１１に掛けられる状態にする。
【００５７】
具体的には、制御手段７Ｃは、電磁ロック７６への通電を停止する。すると、電磁ロック本体７６ａが消磁してストライクプレート７６ｂを吸引しなくなり、電磁ロック７６が解錠される。
【００５８】
次に、制御手段７Ｃは、カバー用モータ７３を正方向に回転させ、カバー用ワイヤ巻き取り部材７４からワイヤ７５を送り出し、収納カバー７１を第１保持位置から第２保持位置へ回動させる。この時点では、まだ、回転式物干し部材１１は収納カバー７１の内部に収納されている。
【００５９】
次に、制御手段７Ｃは、昇降用モータ１４を正方向に回転させ、ワイヤ巻き取り部材１３からワイヤ１２を送り出し、回転式物干し部材１１を下降させる。回転式物干し部材１１は、収納カバー７１から所定量突出した位置で停止する。
【００６０】
使用者が回転式物干し部材１１に洗濯物５５を掛けると、浴室暖房乾燥機１Ｃが浴室５１へ送り出す温風Ｆが洗濯物５５に当たり、回転式物干し部材１１が回転し続ける。これにより、温風Ｆが洗濯物５５に満遍なく当たり、洗濯物５５の乾燥効率が向上する。
【００６１】
衣類乾燥が終了し、使用者が回転式物干し部材１１から洗濯物５５を取り外し、リモコン８に操作収納の指示を入力すると、制御手段７Ｃは、昇降用モータ１４を逆方向に回転させ、ワイヤ巻き取り部材１３にワイヤ１２を巻き取らせる。これにより、回転式物干し部材１１が収納カバー７１の中空孔の内部に収納される。
【００６２】
次に、制御手段７Ｃは、カバー用モータ７３を逆方向に回転させ、カバー用ワイヤ巻き取り部材７４にワイヤ７５を巻き取らせる。これにより、収納カバー７１がワイヤ７５に引っ張られて、ワイヤ巻き取り部材１３を支点に回動し、第２保持位置から第１保持位置へ移動する。
【００６３】
次に、制御手段７Ｃは、電磁ロック本体７６ａに通電し、電磁ロック本体７６ａにストライクプレート７６ｂを吸引させる。これにより、収納カバー７１が、第１保持位置で保持され、浴室暖房乾燥機１Ｃが通常状態に戻る。
【００６４】
以上説明したように、第３実施形態の浴室暖房乾燥機１Ｃは、筒型に形成されて、回転式物干し部材１１を進退可能に内部に収納するものであって、回転式物干し部材１１を内部に収納した状態でハウジング２（フロントグリル３又は本体ケース４）内に収納される第１保持位置と、回転式物干し部材１１を下降させられるようにハウジング２（フロントグリル３又は本体ケース４）から下向きに突出した第２保持位置との間で回動できるように、ハウジング２（フロントグリル３又は本体ケース４）に保持されている収納カバー７１と、前記第１保持位置と前記第２保持位置との間で収納カバー７１を自動的に回動させる自動回動手段（本実施形態では、カバー用モータ７３と、カバー用ワイヤ巻き取り部材７４と、ワイヤ７５と、電磁ロック７６により構成される。）とを有する。このような浴室暖房乾燥機１Ｃは、回転式物干し部材１１を収納カバー７１に収納した状態で美観性良くハウジング２（フロントグリル３又は本体ケース４）に収めることができる。また、浴室５１の天井５１ａ等の高い位置に収納カバー７１が設けられていても、収納カバー７１を自動で回動させることができ、便利である。
【００６５】
尚、本発明は、上記実施形態に限定されることなく、色々な応用が可能である。
【００６６】
（１）例えば、上記実施形態では、回転式物干し部材１１を自動で昇降させたが、例えば、使用者が操作棒を回転式物干し部材１１に引っ掛けて回転させるなど、手動で回転式物干し部材１１を昇降させるようにしても良い。
【００６７】
（２）例えば、上記実施形態では、回転式物干し部材１１の本体２１に設けたフックに洗濯物５５を掛けるようにしたが、洗濯物５５をかけるためのバーを本体２１に設けても良い。
【００６８】
（３）例えば、上記実施形態では回転式物干し部材１１の下降位置を一定にしたが、リモコン８等により回転式物干し部材１１の位置を使用者が自由に調整できるようにしても良い。これによれば、使用者が身長等に合わせて回転式物干し部材１１の位置（洗濯物５５を干す位置）を任意に調整でき、使い勝手が良い。
【００６９】
（４）例えば、上記第３実施形態では、電磁ロック７６を用いて収納カバー７１を第１保持位置で保持したが、電磁弁で動作するロックピンを収納カバー７１に引っ掛けることにより、収納カバー７１を第１保持位置で保持するようにしても良い。この場合、収納カバー７１を第１保持位置から第２保持位置に移動させる場合にのみ電磁弁に通電してロックピンを収納カバー７１から外し、それ以外の場合には電磁弁に通電する必要がないので、省電力で収納カバー７１をロックできる。
【００７０】
（５）例えば、上記実施形態の浴室暖房乾燥機に、ミストを送り出して浴室をミストサウナ状態にするミストサウナ装置を設けても良い。この場合でも、各浴室暖房乾燥機は、回転式物干し部材１１によりハウジング２（フロントグリル３）の表面に形成される凹凸が少ないため、ミストサウナ装置が発生したミストが回転式物干し部材１１に結露して落下し、使用者に不快感を与えにくい。
【符号の説明】
【００７１】
１Ａ，１Ｃ  浴室暖房乾燥機
２  ハウジング
３ｂ  温風吹出口
５  温風発生手段
７Ｂ  制御手段（乾燥度検出手段、温風停止手段、質量オーバー警告手段の一例）
１１  回転式物干部材
１２  ワイヤ（昇降手段の一部）
１３  ワイヤ巻き取り部材（昇降手段の一部）
１４  昇降用モータ（昇降手段の一部）
２１  本体
２３  ベアリング
５１  浴室
６１  質量センサ（質量測定手段の一例）
Ｆ  温風
【図１】
2014097138.tif 000003
【図２】
2014097138.tif 000004
【図３】
2014097138.tif 000005
【図４】
2014097138.tif 000006
【図５】
2014097138.tif 000007
【図６】
2014097138.tif 000008
【図７】
2014097138.tif 000009
【図８】
2014097138.tif 000010
【図９】
2014097138.tif 000011
【図１０】
2014097138.tif 000012
【図１１】
2014097138.tif 000013